(57)【要約】  【課題】  入力画像の出力処理を停止させて、入力画像が特定種類の画像であるか否かの判定を行うことができる画像記録装置を提供する。  【解決手段】  原稿の画像を読取るイメージスキャナ４０と、イメージスキャナ４０が読取る読取画像が紙幣などの特定種類の画像であるか否かを判定する画像判定手段と、シートへの読取画像の記録を行う画像記録部３０と、画像判定手段の判定結果に基づいて画像記録部３０による読取画像の記録を許可又は禁止する記録制御手段とを備える複合機１０において、判定動作指示を受付ける操作パネル４２を備え、操作パネル４２が判定動作指示を受付けた場合、前記記録制御手段は、画像記録部３０による読取画像の記録を、前記画像判定手段の判定結果によらず禁止する。【選択図】      図１
2006245688.tif 000002
【特許請求の範囲】
【請求項１】
入力画像が特定種類の画像であるか否かを判定する画像判定手段と、入力画像のシートへの記録処理を含む出力処理を行う画像出力手段と、画像判定手段の判定結果に基づいて画像出力手段による入力画像の出力処理を許可又は禁止する出力制御手段とを備える画像記録装置において、
判定動作指示を受付ける指示受付手段を備え、
該指示受付手段が判定動作指示を受付けた場合、前記出力制御手段は、前記画像出力手段による入力画像の出力処理を、前記画像判定手段の判定結果によらず禁止するように構成してあることを特徴とする画像記録装置。
【請求項２】
原稿の画像を読取る画像読取手段と、該画像読取手段の読取画像が特定種類の画像であるか否かを判定する画像判定手段と、シートへの読取画像の記録を行う画像記録手段と、画像判定手段の判定結果に基づいて画像記録手段による読取画像の記録を許可又は禁止する記録制御手段とを備える画像記録装置において、
判定動作指示を受付ける指示受付手段を備え、
該指示受付手段が判定動作指示を受付けた場合、前記記録制御手段は、前記画像記録手段による読取画像の記録を、前記画像判定手段の判定結果によらず禁止するように構成してあることを特徴とする画像記録装置。
【請求項３】
判定動作指示を受付ける際に、認証を行う認証手段を備え、
前記記録制御手段は、前記指示受付手段が判定動作指示を受付け、認証手段による認証が成功した場合に、前記画像記録手段による読取画像の記録を禁止するように構成してあることを特徴とする請求項２記載の画像記録装置。
【請求項４】
判定動作指示を受付ける際に、原稿のセット状態が特定のセット状態であることを検出する検出手段を備え、
前記記録制御手段は、前記指示受付手段が判定動作指示を受付け、検出手段が特定のセット状態であることを検出した場合に、前記画像記録手段による読取画像の記録を禁止するように構成してあることを特徴とする請求項２記載の画像記録装置。
【請求項５】
前記検出手段は、特定のセット状態として、特定のカバーで原稿が押圧されていることを検出するように構成してあることを特徴とする請求項４記載の画像記録装置。
【請求項６】
前記検出手段が特定のセット状態であることを検出してから所定時間の間、前記記録制御手段は、前記検出手段の検出結果によらず前記画像記録手段による読取画像の記録を禁止するように構成してあることを特徴とする請求項４又は５記載の画像記録装置。
【請求項７】
前記画像判定手段の判定結果を報知する報知手段を備えることを特徴とする請求項２乃至６の何れかひとつに記載の画像記録装置。
【請求項８】
原稿の画像を読取る画像読取手段と、該画像読取手段の読取画像が特定種類の画像であるか否かを判定する画像判定手段と、シートへの読取画像の記録を行う画像記録手段と、画像判定手段の判定結果に基づいて画像記録手段による読取画像の記録を許可又は禁止する記録制御手段と、該記録制御手段が読取画像の記録を禁止した場合に警告を行う警告手段とを備える画像記録装置において、
判定動作指示を受付ける指示受付手段を備え、
前記記録制御手段は、指示受付手段が判定動作指示を受付けた場合、前記画像記録手段による読取画像の記録を、前記画像判定手段の判定結果によらず禁止するように構成してあり、
前記警告手段は、指示受付手段が判定動作指示を受付けた場合、警告を停止するように構成してあることを特徴とする画像記録装置。
【請求項９】
読取画像に基づくデータを記憶する記憶部と、
該記憶部に記憶されているデータを無効化する無効化手段と
を備えることを特徴とする請求項２乃至８の何れかひとつに記載の画像記録装置。
【発明の詳細な説明】
【技術分野】
【０００１】
本発明は、イメージスキャナなどから入力された入力画像が特定種類の画像であるか否かを判定する画像判定手段と、入力画像のシートへの記録処理を含む出力処理を行う画像出力手段と、画像判定手段の判定結果に基づいて画像出力手段による入力画像の出力処理を許可又は禁止する出力制御手段とを備える画像記録装置に関する。
【背景技術】
【０００２】
複写機又は複写機の機能を備える複合機は、原稿の画像を読取るイメージスキャナなどの画像読取手段と、イメージスキャナの読取画像が特定種類の画像であるか否かを判定する画像判定手段と、シートへの読取画像の記録を行う現像装置などの画像記録手段と、画像判定手段の判定結果に基づいて画像記録手段による読取画像の記録を許可又は禁止する記録制御手段とを備えており、例えば紙幣などの複写が禁止されている原稿の複写を防止するように構成されている。また、例えば原稿が紙幣の場合は、シートへの画像の定着を悪化させる装置も提案されている（例えば、特許文献１参照）。そして、紙幣などの複写を行おうとした場合、スピーカなどの警告手段から警告音を出力するように構成してある。
【特許文献１】特開平２−１７１７９０号公報
【発明の開示】
【発明が解決しようとする課題】
【０００３】
また、紙幣を扱う店舗などにおいては、紙幣の真贋を判定する判定装置が用いられている。しかし、店舗の中には、複写機又は複合機が設置されている場合が多く、複写機又は複合機が備える紙幣の真贋を判定する機能が有効に活用されていないという問題がある。また、紙幣の真贋を判定する機能を備える複写機又は複合機が設置されているにもかかわらず、紙幣の真贋を判定する判定装置を別途用意しているという問題がある。
【０００４】
本発明は斯かる事情に鑑みてなされたものであり、操作パネルなどの指示受付手段が判定動作指示を受付けた場合、画像出力手段による入力画像の出力処理を、出力制御手段が画像判定手段の判定結果によらず禁止するように構成したことにより、入力画像の出力処理を停止させて、入力画像が特定種類の画像であるか否かの判定を行うことができる画像記録装置を提供することを目的とする。
【０００５】
また、本発明は、指示受付手段が判定動作指示を受付けた場合、画像記録手段による読取画像の記録を、記録制御手段が画像判定手段の判定結果によらず禁止するように構成したことにより、読取画像のシートへの記録を停止させて、読取画像が特定種類の画像であるか否かの判定を行うことができる画像記録装置を提供することを他の目的とする。
【０００６】
また、本発明は、判定動作指示を受付ける際、認証手段による認証が成功した場合に、記録制御手段が画像記録手段による読取画像の記録を禁止するように構成したことにより、読取画像のシートへの記録を停止させて、読取画像が特定種類の画像であるか否かの判定を実行させることが可能なユーザを制限できる画像記録装置を提供することを他の目的とする。
【０００７】
また、本発明は、判定動作指示を受付ける際、原稿のセット状態が特定のセット状態であることを検出手段が検出した場合に、記録制御手段が画像記録手段による読取画像の記録を禁止するように構成したことにより、読取画像のシートへの記録を停止させて、読取画像が特定種類の画像であるか否かの判定を実行させることが可能な使用状態を制限できる画像記録装置を提供することを他の目的とする。
【０００８】
また、本発明は、特定のセット状態として、特定のカバーで原稿が押圧されていることを検出するように構成したことにより、読取画像のシートへの記録を停止させて、読取画像が特定種類の画像であるか否かを判定する動作の実行を、特定のカバーの有無で制限できる画像記録装置を提供することを他の目的とする。
【０００９】
また、本発明は、検出手段が特定のセット状態であることを検出してから所定時間の間、画像記録手段による読取画像の記録を、記録制御手段が検出手段の検出状態によらず禁止するように構成したことにより、読取画像が特定種類の画像であるか否かの判定を効率的に行うことができる画像記録装置を提供することを他の目的とする。
【００１０】
また、本発明は、画像判定手段の判定結果を報知する報知手段を備えることにより、ユーザは、報知された判定結果に基づいて、原稿が特定種類であるか否かを知ることができる画像記録装置を提供することを他の目的とする。
【００１１】
また、本発明は、指示受付手段が判定動作指示を受付けた場合、記録制御手段が画像記録手段による読取画像の記録を画像判定手段の判定結果によらず禁止し、警告手段が警告の出力を停止するように構成したことにより、判定中に例えば警告音が出力されて周囲に誤解を与えること等を防止できる画像記録装置を提供することを他の目的とする。
【００１２】
また、本発明は、読取画像に基づくデータを記憶する記憶部と、記憶部に記憶されているデータを無効化する無効化手段とを備えることにより、記憶部に記憶されているデータの再使用を防止することができる画像記録装置を提供することを他の目的とする。
【課題を解決するための手段】
【００１３】
本発明に係る画像記録装置は、入力画像が特定種類の画像であるか否かを判定する画像判定手段と、入力画像のシートへの記録処理を含む出力処理を行う画像出力手段と、画像判定手段の判定結果に基づいて画像出力手段による入力画像の出力処理を許可又は禁止する出力制御手段とを備える画像記録装置において、判定動作指示を受付ける指示受付手段を備え、該指示受付手段が判定動作指示を受付けた場合、前記出力制御手段は、前記画像出力手段による入力画像の出力処理を、前記画像判定手段の判定結果によらず禁止するように構成してあることを特徴とする。
【００１４】
本発明に係る画像記録装置は、原稿の画像を読取る画像読取手段と、該画像読取手段の読取画像が特定種類の画像であるか否かを判定する画像判定手段と、シートへの読取画像の記録を行う画像記録手段と、画像判定手段の判定結果に基づいて画像記録手段による読取画像の記録を許可又は禁止する記録制御手段とを備える画像記録装置において、判定動作指示を受付ける指示受付手段を備え、該指示受付手段が判定動作指示を受付けた場合、前記記録制御手段は、前記画像記録手段による読取画像の記録を、前記画像判定手段の判定結果によらず禁止するように構成してあることを特徴とする。
【００１５】
本発明に係る画像記録装置は、判定動作指示を受付ける際に、認証を行う認証手段を備え、前記記録制御手段は、前記指示受付手段が判定動作指示を受付け、認証手段による認証が成功した場合に、前記画像記録手段による読取画像の記録を禁止するように構成してあることを特徴とする。
【００１６】
本発明に係る画像記録装置は、判定動作指示を受付ける際に、原稿のセット状態が特定のセット状態であることを検出する検出手段を備え、前記記録制御手段は、前記指示受付手段が判定動作指示を受付け、検出手段が特定のセット状態であることを検出した場合に、前記画像記録手段による読取画像の記録を禁止するように構成してあることを特徴とする。
【００１７】
本発明に係る画像記録装置は、前記検出手段は、特定のセット状態として、特定のカバーで原稿が押圧されていることを検出するように構成してあることを特徴とする。
【００１８】
本発明に係る画像記録装置は、前記検出手段が特定のセット状態であることを検出してから所定時間の間、前記記録制御手段は、前記検出手段の検出結果によらず前記画像記録手段による読取画像の記録を禁止するように構成してあることを特徴とする。
【００１９】
本発明に係る画像記録装置は、前記画像判定手段の判定結果を報知する報知手段を備えることを特徴とする。
【００２０】
本発明に係る画像記録装置は、原稿の画像を読取る画像読取手段と、該画像読取手段の読取画像が特定種類の画像であるか否かを判定する画像判定手段と、シートへの読取画像の記録を行う画像記録手段と、画像判定手段の判定結果に基づいて画像記録手段による読取画像の記録を許可又は禁止する記録制御手段と、該記録制御手段が読取画像の記録を禁止した場合に警告を行う警告手段とを備える画像記録装置において、判定動作指示を受付ける指示受付手段を備え、前記記録制御手段は、指示受付手段が判定動作指示を受付けた場合、前記画像記録手段による読取画像の記録を、前記画像判定手段の判定結果によらず禁止するように構成してあり、前記警告手段は、指示受付手段が判定動作指示を受付けた場合、警告を停止するように構成してあることを特徴とする。
【００２１】
本発明に係る画像記録装置は、読取画像に基づくデータを記憶する記憶部と、該記憶部に記憶されているデータを無効化する無効化手段とを備えることを特徴とする。
【００２２】
本発明においては、操作パネルなどの指示受付手段が判定動作指示を受付けた場合、出力制御手段は、画像出力手段による入力画像の出力処理を、画像判定手段の判定結果によらず禁止するため、画像記録装置は、入力画像の出力処理を行わず、入力画像が特定種類の画像であるか否かの判定を行う判定装置として動作する。出力処理は、入力画像のシートへの記録以外に、例えば入力画像の送信なども含む。また、特定種類の画像は、例えば複写を禁止されている画像であり、例えば紙幣の画像である。特定種類の画像が紙幣の画像の場合、紙幣の画像の出力を防止でき、画像記録装置を、紙幣の真贋を判定する装置として動作させることができる。
【００２３】
本発明においては、操作パネルなどの指示受付手段が判定動作指示を受付けた場合、記録制御手段は、画像記録手段による読取画像の記録を、画像判定手段の判定結果によらず禁止するため、画像記録装置は、読取画像のシートへの記録を行わず、読取画像が特定種類の画像であるか否かを判定する判定装置として動作する。特定種類の画像は、例えば複写を禁止されている画像であり、例えば紙幣の画像である。特定種類の画像が紙幣の画像の場合、紙幣の画像のシートへの記録を防止でき、画像記録装置を、紙幣の真贋を判定する装置として動作させることができる。
【００２４】
本発明においては、判定動作指示を受付ける際、認証手段による認証が成功した場合に、記録制御手段が画像記録手段による読取画像の記録を禁止するため、画像記録装置を上述した判定装置として動作させることが可能なユーザを制限することができる。認証手段は、例えば操作パネルでパスワードを受付けて照合したり、カードリーダでＩＣカードを読取って照合を行ったり、ＣＣＤ（Charge Coupled Device）で指紋を読取って照合を行うこと等が可能である。
【００２５】
本発明においては、判定動作指示を受付けた際、原稿のセット状態が特定のセット状態であることを検出手段が検出した場合に、記録制御手段が画像記録手段による読取画像の記録を禁止するため、画像記録装置を上述した判定装置として動作させることが可能な使用状態を制限することができる。特定の使用状態で判定を行うため、周囲に、紙幣を複写しようとしているなどの誤解を与えることを防止できる。
【００２６】
本発明においては、検出手段は、特定のセット状態として、特定のカバーで原稿が押圧されていることを検出するため、画像記録装置を上述した判定装置として動作させる場合は特定のカバーが必要となり、画像記録装置を上述した判定装置として動作させることが可能な使用状態を制限することができる。特定のカバーを使用して判定を行うため、周囲に、紙幣を複写しようとしているなどの誤解を与えることを防止できる。
【００２７】
本発明においては、検出手段が特定のセット状態であることを検出してから所定時間の間、記録制御手段は、検出手段の検出状態によらず画像記録手段による読取画像の記録を禁止するため、画像の読取毎に原稿のセット状態を検出する場合と比較して、読取画像が特定種類の画像であるか否かの判定を効率的に行うことができる。
【００２８】
本発明においては、画像判定手段の判定結果を報知手段が報知する。例えば原稿が特定種類である確率を表示パネルに表示する。ユーザは、報知された判定結果に基づいて、原稿が特定種類であるか否かを知ることができる。
【００２９】
本発明においては、指示受付手段が判定動作指示を受付けた場合、警告手段が警告の出力を停止するため、判定中に例えば警告音が出力されて周囲に誤解を与えること等を防止できる。
【００３０】
本発明においては、読取画像に基づくデータを記憶する記憶部を備えるため、読取画像の再印刷などを、記憶部に記憶されているデータを使用して行えるため、ユーザの利便性が向上する。また、記憶部に記憶されているデータを無効化する無効化手段を備えるため、記憶部に記憶されている不要データの不正使用を防止することができる。
【発明の効果】
【００３１】
本発明によれば、入力画像の出力処理を停止させて、入力画像が特定種類の画像であるか否かの判定を行うことができる。
【００３２】
本発明によれば、読取画像のシートへの記録を停止させて、読取画像が特定種類の画像であるか否かの判定を行うことができる。
【００３３】
本発明によれば、読取画像のシートへの記録を停止させて、読取画像が特定種類の画像であるか否かの判定を実行させることが可能なユーザを制限することができる。
【００３４】
本発明によれば、読取画像のシートへの記録を停止させて、読取画像が特定種類の画像であるか否かの判定を実行させることが可能な使用状態を制限することができる。
【００３５】
本発明によれば、読取画像のシートへの記録を停止させて、読取画像が特定種類の画像であるか否かを判定する動作の実行を、特定のカバーの有無で制限することができる。
【００３６】
本発明によれば、読取画像が特定種類の画像であるか否かの判定を効率的に行うことができる。
【００３７】
本発明によれば、報知された判定結果に基づいて、ユーザは、原稿が特定種類であるか否かを知ることができる。
【００３８】
本発明によれば、判定中に例えば警告音が出力されて周囲に誤解を与えること等を防止できる。
【００３９】
本発明によれば、記憶部に記憶されている不要データの不正使用を防止することができる。
【発明を実施するための最良の形態】
【００４０】
以下、本発明をその実施の形態を示す図面に基づいて具体的に説明する。
図１は、本発明に係る複合機（画像記録装置）の例を示す斜視図であり、図２は本発明に係る複合機の構成例を示すブロック図である。
【００４１】
複合機１０は、原稿の画像を読取るイメージスキャナ（画像読取手段）４０と、イメージスキャナ４０の制御などの画像読取に関する制御を行うイメージ・コントロール・ユニット（ＩＣＵ）２０と、操作パネル４２及び表示パネル４４と、操作パネル４２及び表示パネル４４などの制御を行うオペレーション・コントロール・ユニット（ＯＣＵ）２２と、電話回線網８０に接続されたＦＡＸモデム２６と、ＬＡＮ（Local Area Network）及び／又はインターネットなどの通信ネットワーク６０に接続された通信部（画像出力手段）２４と、現像装置及び給紙機構等を含む画像記録部（画像記録手段、画像出力手段）３０と、画像記録部３０の制御などのシートへの画像の記録（印刷）に関する制御を行うプリント・コントロール・ユニット（ＰＣＵ）１８と、イメージスキャナ４０が読取った画像又は通信部２４が受信したデータ及び各種設定データなどを記憶するハードディスクドライブ（ＨＤＤ）１４と、イメージスキャナ４０で読取った画像又は印刷すべき画像などに対する各種画像処理を行う画像処理部２８と、複合機１０内の上述した各構成部の制御を行うＣＰＵ（Central Processing Unit）１２と、ＣＰＵ１２に接続されたメモリ１６とを備える。
【００４２】
複合機１０は、イメージスキャナ４０で読取ったカラー画像、ＦＡＸモデム２６で受信したデータに基づく画像、及び通信部２４で受信したデータに基づくカラー画像を画像記録部３０でカラー印刷することが可能である。また、複合機１０は、イメージスキャナ４０で読取ったカラー画像を、ＦＡＸモデム２６又は通信部２４から送信することが可能である。なお、印刷又は送信すべき画像のデータはＨＤＤ（記憶部）１４に記憶される。また、ＣＰＵ（無効化手段）１２の制御により、ＨＤＤ１４に記憶されたデータは、“０”データ又はランダムデータなどで上書して、無効化することが可能である。
【００４３】
画像処理部２８は、イメージスキャナ４０の読取画像が特定種類の画像であるか否かを判定する画像判定手段として動作する。ＰＣＵ１８は、画像処理部２８の判定結果に基づいて、画像記録部３０によるシートへの読取画像の記録を許可又は禁止する記録制御手段（出力制御手段）として動作する。例えば特定種類の画像が紙幣の画像など、複写が禁止されている画像の場合、原稿が紙幣と判定された場合はＰＣＵ１８が読取画像のシートへの記録を禁止し、ＣＰＵ１２の制御によって操作パネル４２に設けられたスピーカ（警告手段）４２ａから警告音が出力され、そうでない場合はシートへの記録を許可する。原稿が紙幣であるか否かの判定は、従来と同様にして行うことができる。
【００４４】
操作パネル４２は、スタートキー、キャンセルキー、テンキー、及びファンクションキーなどの各種操作用のキーを備える。また、表示パネル４４は、液晶表示パネルを用いているが、例えばタッチパネルを用いることにより、表示パネル４４を操作パネル４２として使用することも可能である。
【００４５】
また、操作パネル４２は、判定動作指示を受付ける指示受付手段として動作し、操作パネル４２が判定動作指示を受付けた場合、ＰＣＵ１８は、画像記録部３０による読取画像の記録を、画像処理部２８の判定結果によらず禁止する。また、操作パネル４２が判定動作指示を受付けた場合、判定結果は、ＣＰＵ１２の制御により、表示パネル（報知手段）に表示される。さらに、操作パネル４２が判定動作指示を受付けた場合、ＣＰＵ１２の制御により、操作パネル４２のスピーカ４２ａからの警告音の出力は停止される。判定動作指示は、例えば装置の動作設定画面で受付けることが可能である。
【００４６】
ＣＰＵ１２は、判定動作指示を受付ける際に、認証を行う認証手段として動作し、ＰＣＵ１８は、ＣＰＵ１２による認証が成功した場合、画像記録部３０による読取画像のシートへの記録を禁止する。認証は、例えば操作パネル４２で受付けたパスワードと、ＨＤＤ１４に記憶されているパスワードとを、ＣＰＵ１２で照合することが可能である。なお、操作パネル４２近辺に、カードリーダを設けてＩＣカードからＩＤの読取を行ったり、指紋センサを設けて指紋の読取を行って、ＨＤＤ１４に記憶されているＩＤ又は指紋データと照合すること等も可能である。
【００４７】
また、イメージスキャナ４０及びＣＰＵ１２は、判定動作指示を受付ける際に、原稿のセット状態が特定のセット状態であることを検出する検出手段として動作し、ＰＣＵ１８は、特定のセット状態であることが検出された場合、画像記録部３０による読取画像の記録を禁止する。特定のセット状態としては、例えば特定のカバー（以下、専用カバーという）で原稿が押圧されていることを検出することが可能である。
【００４８】
図３は、専用カバーの例を示す平面図である。専用カバー５０は長方形の平板状であり、一方の平面の一方の短辺の両角部に、２次元コードなどの識別マーク５２が形成されている。図４は、イメージスキャナ４０に対する専用カバー５０のセットの例を示す斜視図であり、識別マーク５２を下側（原稿５４側）にして、専用カバー５０で原稿５４を押圧している。イメージスキャナ４０が読取った識別マーク５２をＣＰＵ１２が認識することにより、専用カバー５０で原稿が押圧されていることを検出できる。なお、識別マーク５２の認識は、例えば一般的な２次元コードの認識と同様に行うことができる。専用カバー５０で原稿が押圧されていることの検出は、原稿を読取る毎に行う。なお、原稿が特定のセット状態であることを検出してから所定時間の間、ＰＣＵ１８は、原稿のセット状態の検出結果によらず、画像記録部３０による読取画像の記録を禁止することも可能である。
【００４９】
図５は、原稿の判定動作の例を示すフローチャートである。操作パネル４２で判定動作指示を受付けたことにより、判定モードに切換える場合（Ｓ１０：ＹＥＳ）、ＣＰＵ１２は、ＯＣＵ２２を制御してパスワード入力画面を表示パネル４４に表示し、パスワードを受付けて認証を行う（Ｓ１２）。受付けたパスワードは、操作パネル４２からＯＣＵ２２を介してＣＰＵ１２に送られ、ＣＰＵ１２によって、ＨＤＤ１４に予め記憶されている登録パスワードと照合される。認証が失敗し、キャンセルキーが押下されるなどしてキャンセルされた場合（Ｓ１４：ＮＯ、Ｓ１６：ＹＥＳ）は、図５の処理を終了する。認証が成功した場合（Ｓ１４：ＹＥＳ）、ＣＰＵ１２は、表示パネル４４に、例えば「判定モード（専用カバーを使用して下さい）」などの判定モード用表示を行う（Ｓ１８）。
【００５０】
その後、イメージスキャナ４０が読取った画像から、ＣＰＵ１２が専用カバーのセットを検出できず、キャンセルキーなどが押下されてキャンセルされた場合（Ｓ２０：ＮＯ、Ｓ２２：ＹＥＳ）、図５の処理を終了する。イメージスキャナ４０が読取った画像から、ＣＰＵ１２が識別マーク５２を認識して専用カバー５０のセットを検出し、スタートキーが押下された場合（Ｓ２０：ＹＥＳ、Ｓ２４：ＹＥＳ）、ＣＰＵ１２は、ＩＣＵ２０を制御して、イメージスキャナ４０に原稿を読取らせる（Ｓ２８）。スタートキーが押下されず、キャンセルキー等が押下されてキャンセルされた場合（Ｓ２４：ＮＯ，Ｓ２６：ＹＥＳ）、図５の処理を終了する。
【００５１】
イメージスキャナ４０が読取った画像はＨＤＤ１４に記憶され、ＣＰＵ１２は、再度、専用カバーがセットされているか検出し、専用カバーが検出された場合（Ｓ３０：ＹＥＳ）は、画像処理部２８を制御して読取画像の判定を行い（Ｓ３２）、判定結果を表示パネル４４に表示させる（Ｓ３４）。専用カバーが検出されない場合（Ｓ３０：ＮＯ）、ＣＰＵ１２は、画像処理部２８を制御して読取画像の判定を中止し（Ｓ３６）、ＨＤＤ１４に記憶されている、Ｓ２８で読取った読取画像を無効化し（Ｓ４０）、図５の処理を終了する。
【００５２】
また、判定終了の操作を操作パネル４２から受付けた場合（Ｓ３８：ＹＥＳ）、ＣＰＵ１２は、ＨＤＤ１４に記憶されている、Ｓ２８で読取った読取画像を無効化し（Ｓ４０）、図５の処理を終了する。判定終了の操作を操作パネル４２から受付けなかった場合は（Ｓ３８：ＮＯ）、Ｓ２４にもどる。
【００５３】
上述した実施の形態においては、認証及び専用カバー５０の検出の両方を行ったが、何れか一方のみを行うことも可能である。また、特定種類の画像は、紙幣の画像に限定はされず、例えば有価証券の画像であってもよい。また、上述した実施の形態においては、操作パネル４２で判定動作指示を受付けたが、専用カバー５０の識別マーク５２を検出することによって判定動作指示を受付けることも可能である。
【図面の簡単な説明】
【００５４】
【図１】本発明に係る複合機（画像記録装置）の例を示す斜視図である。
【図２】本発明に係る複合機の構成例を示すブロック図である。
【図３】専用カバーの例を示す平面図である。
【図４】イメージスキャナに対する専用カバーのセットの例を示す斜視図である。
【図５】原稿の判定動作の例を示すフローチャートである。
【符号の説明】
【００５５】
１０  複合機
１２  ＣＰＵ
１４  ＨＤＤ
１６  メモリ
１８  ＰＣＵ
２０  ＩＣＵ
２２  ＯＣＵ
２４  通信部
２６  ＦＡＸモデム
２８  画像処理部
３０  画像記録部
６０  通信ネットワーク
８０  電話回線網
４０  イメージスキャナ
４２  操作パネル
４２ａ  スピーカ
４４  表示パネル
【図１】
2006245688.tif 000003
【図２】
2006245688.tif 000004
【図３】
2006245688.tif 000005
【図４】
2006245688.tif 000006
【図５】
2006245688.tif 000007